(57)【特許請求の範囲】
【請求項１】
少なくとも上面側層と走行面側層を備え、上面側層および走行面側層を織りなす経糸地糸接結糸により上面側層と走行面側層とを連結してなる工業用多層織物において、上面側経糸の一部または全部を経糸地糸接結糸とし、経糸地糸接結糸を２本１組で配置し、２本の経糸地糸接結糸のうち１本が上面側表面に現れた場合、他方は上面側表面の下方にあって、表面に現れた経糸地糸接結糸が上面側緯糸と織りなし、走行面側においては、組を形成する２本の経糸地糸接結糸のうち一方の経糸地糸接結糸はその糸と近い方の走行面側経糸に近接させ、他方の経糸地糸接結糸もその糸と近い方の走行面側経糸と近接させて走行面側経糸方向に偏らせ、一方上面側においては組を形成する２本の経糸地糸接結糸が互いに接近して走行面側経糸間のほぼ中央の上方で実質経糸１本分の組織を形成することを特徴とする工業用多層織物。
【請求項２】
組を形成する２本の経糸地糸接結糸が同組織である、請求項１に記載された工業用多層織物。
【請求項３】
経糸地糸接結糸は、走行面側経糸が走行面側緯糸の下側を通過する位置で走行面側緯糸の下側を通過することを特徴とする、請求項１または２に記載された工業用多層織物。
【請求項４】
２本１組の経糸地糸接結糸と上面側経糸とを交互に配置した、請求項１ないし３のいずれか１項に記載された工業用多層織物。
【請求項５】
２本１組の経糸地糸接結糸のうち、一方が上面側表面にある場合は他方が上面側表面の下にあって、組を形成する経糸地糸接結糸のうち１本が１本の上面側緯糸の上側と下側を交互に通過して上面側表面に６個のナックルを形成し、次いで５本分の上面側緯糸と走行面側緯糸の間を通過し、次いで１本の走行面側緯糸の下側を通過し、次いで７本分の上面側緯糸と走行面側緯糸の間を通過する組織の経糸地糸接結糸であり、他の１本が進行方向逆向きとした組織の経糸地糸接結糸であって、この経糸地糸接結糸を２本組み合わせて形成した、請求項１ないし４のいずれか１項に記載された工業用多層織物。
【請求項６】
２本１組の経糸地糸接結糸のうち、一方が上面側表面にある場合は他方が上面側表面の下にあって、組を形成する経糸地糸接結糸のうち１本が１本の上面側緯糸の上側と下側を交互に通過して上面側表面に５個のナックルを形成し、次いで３本分の上面側緯糸と走行面側緯糸の間を通過し、次いで１本の走行面側緯糸の下側を通過し、次いで７本分の上面側緯糸と走行面側緯糸の間を通過する組織の経糸地糸接結糸であり、他の１本が進行方向逆向きとした組織の経糸地糸接結糸であって、この経糸地糸接結糸を２本組み合わせて形成した、請求項１ないし４のいずれか１項に記載された工業用多層織物。
【発明の詳細な説明】
【０００１】
【発明の属する技術分野】
本発明は製紙用織物、搬送ベルト、ろ布等の工業用織物に関するものである。
【０００２】
【従来の技術】
従来から工業用織物としては経糸、緯糸で製織した織物が広く使用されており、例えば製紙用ワイヤーや搬送用ベルト、ろ布等その他の多くの分野で使用されており、用途や使用環境に適した織物特性が要求されている。特に織物の網目を利用して原料の脱水等を行う製紙工程で使用される抄紙用ワイヤーでの要求は厳しく、紙に織物のワイヤーマークを転写することのない表面性に優れた織物、また過酷な環境下においても好適に使用できる程度の剛性を持ち合わせたもの、そして良好な紙を製造するために必要な条件を長期間持続することのできる織物が要求されている。その他にも繊維支持性、製紙の歩留まりの向上、良好なろ水性、耐摩耗性、寸法安定性、走行安定性等が要求されている。さらに近年では抄紙マシンが高速化しているため、それに伴い抄紙用ワイヤーへの要求も一段と厳しいものとなっている。
このように工業用織物の中でも要求が厳しい抄紙用織物について説明すればほとんどの工業用織物の要求とその解決について理解できるので、以下抄紙用織物を代表して本発明を説明する。
例えば、抄紙スピードが高速になると必然的に脱水スピードが高速になり、脱水力を強力にする必要がある。それによって当然繊維や填料等の抜け、ワイヤーマークの発生は顕著になるため、さらなる繊維支持性、表面性の改良が必要となる。また、抄紙用織物に湿紙のくい込みが大きくなったり、繊維のささり込みが発生すると湿紙をフェルトへ移送する場合の湿紙剥離性が悪くなるという問題も発生する。織物上に残って形成された湿紙は脱水力によって、織物表面に押し付けられるため、糸が存在している部分では糸が湿紙にくい込み、逆に糸が存在しない網目間では湿紙が網目にくい込んで湿紙表面上に糸と網目のマークを発生させるためである。ワイヤーマークを完全になくすことは不可能であるが、これを極力小さく目立たなくするためには織物の上層表面を細かくし、表面平滑性、及び繊維支持性の向上を図らなくてはならない。しかし、表面性や繊維支持性を重視した目の細かい織物は、基本的に線径の小さい糸で製織されているため耐摩耗性には劣っていた。
また、抄紙用織物は高速で走行するためマシンと接触する側の走行面側ではロール等との摩擦によって織物が次第に摩耗していく現象がみられ、摩耗によって寿命が尽きてしまうこともある。耐摩耗性を向上させるには織物組織を緯糸摩耗型の組織にしたり、糸の材質を変更したりと様々な対策が必要とされ、特に線径の大きい糸を用いることで耐摩耗性を付与する方法が一般的に用いられている。しかし、線径の大きい糸は耐摩耗性は向上するものの優れた表面性を得ることは困難であった。
表面性と耐摩耗性の両方の問題を解決するために、上面側層と走行面側層にそれぞれ別の経糸、緯糸を用いて構成した２枚の織物を使用し、両層の織物を接結糸によって一体化させた２層織物が用いられてきた。この方法はそれぞれに要求される性能に応じた織物を採用できるという効果があった。上面側層に線径の小さい経糸、緯糸を用いて緻密な上層面を形成し、走行面側層に線径の大きい経糸、緯糸を使用して耐摩耗性の大きい走行面を形成した。接結糸には表面性を低下させないために一般的に上面側経糸、上面側緯糸より小径の糸が使用された。上面側層組織は緻密な表面を形成するために平織が使用されることが多いが、実際には２つの層を織り合わせるために接結糸が用いられるので、実質平織表面に接結糸が所々に配置された表面が形成されることとなる。接結糸はこのように表面に現れる部分も存在するため、表面平滑性の問題から線径のあまり大きい糸を使用することは好ましくはなかった。
また、通常製紙用織物は使用時には経方向に張力が掛けられることが多く、経方向の糸は常に張力が掛けられている状態であるので織物の走行によって経糸がゆるみ移動することはほとんどないが、製織性や繊維支持性等の問題から緯糸間に配置されることの多い接結糸では張力が掛かると伸びたり、上面側層と走行面側層の間で接結糸が揉まれて内部摩耗が発生し、織物間に隙間が発生したり分離してしまうという問題が生じることがあった。これは無端状ベルトがいくつかのロールに掛けられて走行しているためであり、ロールに織物が接触する部分ではロールの弧に沿って２層織物が湾曲し織物の各層で周長差が生じるからである。それによって各層を織り合わせている接結糸は揉まれ、内部摩耗が発生するのである。内部摩耗は表面性向上のために使用されている線径が小さく強度の低い接結糸でよく見受けられる。線径の小さい接結糸のみでの上面側層、走行面側層の接結は接結力が不十分であった。また接結糸は２枚の織物を連結するために上面側層の糸に絡み、接結力によって糸を引き込むために上面側表面に凹みを与えて織物の表面性を悪化させてしまうという問題もあった。
そこで、経方向の糸に上面側表面を形成しつつも上面側層と走行面側層を織り合わせる経糸地糸接結糸を用いた多層織物の開発がされてきた。上面側層では上面側表面を形成する経糸に上面側経糸と組を形成する経糸地糸接結糸を用い、上面側緯糸と織り合わせて上面側表面を形成した。走行面側層は走行面側経糸と走行面側緯糸によって形成した。さらに接結力の向上や目開きの均一化を目的として、上面側層を形成する経糸の全てを経糸地糸接結糸とした織物等も開発された。しかし、従来の経糸地糸接結糸によって接結した多層織物は１本の走行面側経糸の隣に２本１組の経糸地糸接結糸を配置する構造とした。１組の経糸地糸接結糸は常に同じ走行面側経糸の隣りに隣接配置されるため、走行面側層では２本の経糸地糸接結糸は一方の走行面側経糸の横に偏って配置される。同様に上面側層でも組を形成する２本の経糸地糸接結糸が走行面側層と同様に偏って配置されるため、ろ水空間の均一性が確保できず、均一な脱水を行うことができないという問題があった。
【０００３】
【発明が解決しようとする課題】
本発明は上記の問題に鑑みて、上面側緯糸と織り合わされて上面側表面の一部を形成しつつ上面側層と走行面側層を連結する経糸地糸接結糸を２本１組で配置し、走行面側では組を形成する２本の経糸地糸接結糸をそれぞれ両隣の走行面側経糸に近接させ、上面側では組を形成する２本の経糸地糸接結糸が交互に上面側表面に現れて、それらが互いに接近して走行面側経糸間のほぼ中央の上方で実質経糸１本分の組織を形成する構造とすることで織物のろ水性を均一にし、また接結力、表面平滑性に優れた工業用多層織物を提供しようとするものである。
【０００４】
【課題を解決するための手段】
本発明は、
「１．少なくとも上面側層と走行面側層を備え、上面側層および走行面側層を織りなす経糸地糸接結糸により上面側層と走行面側層とを連結してなる工業用多層織物において、上面側経糸の一部または全部を経糸地糸接結糸とし、経糸地糸接結糸を２本１組で配置し、２本の経糸地糸接結糸のうち１本が上面側表面に現れた場合、他方は上面側表面の下方にあって、表面に現れた経糸地糸接結糸が上面側緯糸と織りなし、走行面側においては、組を形成する２本の経糸地糸接結糸のうち一方の経糸地糸接結糸はその糸と近い方の走行面側経糸に近接させ、他方の経糸地糸接結糸もその糸と近い方の走行面側経糸と近接させて走行面側経糸方向に偏らせ、一方上面側においては組を形成する２本の経糸地糸接結糸が互いに接近して走行面側経糸間のほぼ中央の上方で実質経糸１本分の組織を形成することを特徴とする工業用多層織物。
２．組を形成する２本の経糸地糸接結糸が同組織である、請求項１に記載された工業用多層織物。
３．経糸地糸接結糸は、走行面側経糸が走行面側緯糸の下側を通過する位置で走行面側緯糸の下側を通過することを特徴とする、請求項１または２に記載された工業用多層織物。４．２本１組の経糸地糸接結糸と上面側経糸とを交互に配置した、請求項１ないし３のいずれか１項に記載された工業用多層織物。
５．２本１組の経糸地糸接結糸のうち、一方が上面側表面にある場合は他方が上面側表面の下にあって、組を形成する経糸地糸接結糸のうち１本が１本の上面側緯糸の上側と下側を交互に通過して上面側表面に６個のナックルを形成し、次いで５本分の上面側緯糸と走行面側緯糸の間を通過し、次いで１本の走行面側緯糸の下側を通過し、次いで７本分の上面側緯糸と走行面側緯糸の間を通過する組織の経糸地糸接結糸であり、他の１本が進行方向逆向きとした組織の経糸地糸接結糸であって、この経糸地糸接結糸を２本組み合わせて形成した、請求項１ないし４のいずれか１項に記載された工業用多層織物。
６．２本１組の経糸地糸接結糸のうち、一方が上面側表面にある場合は他方が上面側表面の下にあって、組を形成する経糸地糸接結糸のうち１本が１本の上面側緯糸の上側と下側を交互に通過して上面側表面に５個のナックルを形成し、次いで３本分の上面側緯糸と走行面側緯糸の間を通過し、次いで１本の走行面側緯糸の下側を通過し、次いで７本分の上面側緯糸と走行面側緯糸の間を通過する組織の経糸地糸接結糸であり、他の１本が進行方向逆向きとした組織の経糸地糸接結糸であって、この経糸地糸接結糸を２本組み合わせて形成した、請求項１ないし４のいずれか１項に記載された工業用多層織物。」に関する。
【０００５】
【発明の実施の形態】
本発明の工業用織物は製紙用ワイヤー、搬送用ベルト、ろ布等の工業用織物として使用するものであり、特にはユーザーからの要求の厳しい抄紙用ワイヤーとしても好適に使用することができる。
本発明は少なくとも上面側層と走行面側層を備え、上面側層の一部を形成する経糸地糸接結糸によって上面側層と走行面側層を連結してなる工業用多層織物であり、上面側経糸の一部または全部を経糸地糸接結糸とした。経糸地糸接結糸は織物の走行方向に２本１組で配置し、上面側経糸と共に、または経糸地糸接結糸単独で上面側表面を形成し、２本の経糸地糸接結糸のうち一方が上面側表面にあるときは、他方の糸が上面側層の下側に存在しており、交互に上面側表面に現れて実質上面側経糸１本分の組織を形成する組織とし、上面側緯糸と織り合わされて上面側表面の一部を形成する。走行面側層では組を形成する２本の経糸地糸接結糸のうち一方の経糸地糸接結糸はその糸と近い方の走行面側経糸に近接し、他方の経糸地糸接結糸はその糸と近い方の走行面側経糸に近接して互いに離れ、一方上面側では組を形成する２本の経糸地糸接結糸が互いに接近して走行面側経糸間のほぼ中央の上方で実質上面側経糸１本分の組織を形成する構造とした。この多層織物は２つの層を連結する接結糸に経方向に配置された経糸地糸接結糸を使用しているため接結力が強く、該経糸地糸接結糸は２つの層を接結しつつも上面側層の一部を形成するため表面平滑性に優れ、また上面側表面では組になった２本の経糸地糸接結糸が走行面側経糸間のほぼ中央の上側で実質経糸１本分の組織を形成するため織物表面全体に均一な網目空間を与え、ろ水性が均一となる。
【０００６】
本発明のように織物走行方向に２つの層を織り合わせる経糸地糸接結糸を配置することによる一番の効果は、従来の接結するだけで表面組織形成に関与しない接結糸とは異なり、該経糸地糸接結糸が織物表面の一部として機能するため局所的な凹みの発生がないということである。また経糸地糸接結糸は経方向、つまり一般的にいう織物の走行方向に伸びて常に張力がかけられた状態で使用されるため糸のたるみの発生がなく、織物構造から見ても接結力が強い傾向にある。
そして経糸地糸接結糸を経糸間に２本１組で配置し、走行面側層では組を形成する２本の経糸地糸接結糸のうち一方の経糸地糸接結糸はその糸に近い方の走行面側経糸に隣接配置し、他方の経糸地糸接結糸はその糸に近い方の走行面側経糸に隣接配置した構造とすることで、走行面側層では組になった経糸地糸接結糸が離れて配置され、それによって比較的大きなろ水空間を確保することができる。また、上面側層では２つの走行面側経糸間のほぼ中央の上方に実質上面側経糸１本分の組織を形成する。つまり、上面側層を形成する経方向の糸が全て等間隔で配置されるため上面側層に均一なろ水空間が配置されるのである。
また、走行面側経糸が走行面側緯糸の下側を通過するところで、それに隣接する１本の経糸地糸接結糸が同じ走行面側緯糸の下側を通る構造とするのが好ましい。つまり２本１組の経糸地糸接結糸のうち左側の経糸地糸接結糸は、その左側に配置されている走行面側経糸が走行面側緯糸の下側を通過するところで、該経糸地糸接結糸が同じ走行面側緯糸の下側を通る構造とし、２本１組の経糸地糸接結糸のうち右側の経糸地糸接結糸は、その右側に配置されている走行面側経糸が走行面側緯糸の下側を通過するところで、該経糸地糸接結糸が同じ走行面側緯糸の下側を通る構造とする。このような構造とすることで、各経糸地糸接結糸がそれぞれ両側の走行面側経糸に近接配置されるので、２本の経糸地糸接結糸が走行面側層で離れて配置され、走行面側層に比較的大きなろ水空間を形成することができる。また、一般的に走行面側経糸よりも小径である経糸地糸接結糸の摩耗を軽減させることもできる効果もある。
【０００７】
上面側層を形成する経糸に上面側経糸と経糸地糸接結糸の両方を用いる方法と、経糸地糸接結糸のみとする方法がある。織物を構成する上面側経糸、経糸地糸接結糸、走行面側経糸等それぞれの組織は特に限定されていないが、上面側層は湿紙に織物のマークを付与しにくい構造とすることが望ましく、また走行面側層は織物の走行によって生じる摩耗に耐性のある構造とすることが好ましい。走行面側では走行面側層に走行面側経糸を配置し、その間に組になった経糸地糸接結糸を配置すればよい。
組になった経糸地糸接結糸の組織については同一であっても、異なっても構わない。異なる組織の経糸地糸接結糸を用いる例として、１本の上面側緯糸と１本の上面側緯糸の下側を交互に通過して上面側表面に６個のナックルを形成し、次いで５本の上面側緯糸の下側を通過し、次いで１本の走行面側緯糸の下側を通過し、次いで７本の上面側緯糸の下側を通過する組織の経糸地糸接結糸と、この経糸地糸接結糸とは進行方向逆向きとした組織とを２本組み合わせて形成したものがある。この逆向きの組織は隣り合う走行面側経糸と経糸地糸接結糸が隣接して同じ走行面側緯糸の下側を通る組織としたためにこのようになっただけであり、特別なものではない。好ましくはこの例のように、１本の走行面側緯糸が隣接する走行面側経糸と経糸地糸接結糸の両方を織り込んだ、つまり隣り合う走行面側経糸と経糸地糸接結糸が隣接して同じ走行面側緯糸の下側を通る組織とした方が走行面側層のろ水空間の確保、経糸地糸接結糸の安定性の確保ができ、また摩耗対策にもなる。
この組織は経糸地糸接結糸２本を組み合わせて上面側表面に平織を形成する組織とした。織物表面を平織構造とすると繊維支持点数が増加するため繊維支持性が向上し、また織り目が細かくなるため表面平滑性にも優れるという効果がある。このように上面側層を形成する経糸地糸接結糸は、２本１組で紙にマークを付与しない組織とすることが好ましい。また経糸地糸接結糸が異なる組織の場合、それらを１組ごとに左右逆に組み合わせて配置してもよい。これは織物表面に現れる斜めマークを崩すことができるためであり、織物表面性を重視する製紙用織物等において好適である。
走行面側経糸の組織も特に限定されてはなく、経糸地糸接結糸との組み合わせ等によって適宜決定するとよい。
【０００８】
また、本発明に使用される糸は用途、あるいは織物上での各糸の機能によって選択すればよく、例えば、モノフィラメントの他、マルチフィラメント、スパンヤーン、捲縮加工や嵩高加工等を施した一般的にテクスチャードヤーン、バルキーヤーン、ストレッチヤーンと称される加工糸、あるいはこれらを撚り合わせる等して組み合わせた糸が使用できる。また、糸の断面形状も円形だけでなく四角形状や星型等の短形状の糸や楕円形状、中空等の糸が使用できる。また、糸の材質としても、自由に選択でき、ポリエステル、ナイロン、ポリフェニレンサルファイド、ポリフッ化ビニリデン、ポリプロ、アラミド、ポリエーテルエーテルケトン、ポリエチレンナフタレート、ポリテトラフルオロエチレン、綿、ウール、金属等が使用できる。もちろん、共重合体やこれらの材質に目的に応じてさまざまな物質をブレンドしたり含有させた糸を使用してもよい。
【０００９】
抄紙用ワイヤーとしては一般的には、上面側経糸、走行面側経糸、上面側緯糸には剛性があり、寸法安定性に優れるポリエステルモノフィラメントを用いるのが好ましい。また、経糸地糸接結糸としては上面側経糸同様ポリエステルモノフィラメントを用いるのが好ましい。上面側経糸と経糸地糸接結糸の糸の種類や線径等は同じであっても、異なるものであってもよく、織物の性質や製織性等から随時選択できる。しかし、上面側経糸と経糸地糸接結糸では役割が異なり、また経糸地糸接結は２本１組で経糸間に配置されることが多いことから、線径等異なる糸を用いた方が好ましい。
また、耐摩耗性が要求される走行面側緯糸にはポリエステルモノフィラメントとナイロンモノフィラメントを交互に配置する等、交織するのが剛性を確保しつつ耐摩耗性を向上できるため好ましい。それぞれの線径についても用途や適正に合わせて選択すればよく、一般的には上面側層を形成する上面側経糸、上面側緯糸には比較的小径の糸を使用することが好ましく、走行面側層を形成する走行面側経糸、走行面側緯糸には比較的大径の糸を使用することが好ましい。また、２本１組で上面側表面を形成しつつも上面側層と走行面側層を織り合わせる経糸地糸接結糸は2本1組で配置されることから上面側経糸よりも小径であるものが好ましいが、用途や目的の物性等に合わせて適宜変更するとよい。
【００１０】
【実施例】
発明の実施の形態を実施例にもとづき図面を参照して説明する。
図１、２は本発明の実施例の完全組織を示す意匠図である。完全組織とは、織物組織の最小の繰り返し単位であって、この完全組織が上下左右につながって織物全体の組織が形成される。また図３は図２の意匠図の緯糸１５´の断面図、図４は図２の意匠図の緯糸１´の断面図である。
意匠図において、経糸、経糸地糸接結糸はアラビア数字、例えば、１、２、３・・・で示した。経方向の糸のうち奇数番号、例えば１，３，５・・・は上面側経糸、走行面側経糸が上下に配置されている。偶数番号２，４，６・・・は組になった経糸地糸接結糸であり、２ａと２ｂ、３ａと３ｂ・・・２４ａと２４ｂが組になって経糸間に２本１組で配置されている。緯糸はダッシュを付したアラビア数字、例えば１´、２´、３´で示した。それぞれ上面側緯糸と走行面側緯糸が上下に配置されている。×印は上面側経糸、または経糸地糸接結糸が上面側緯糸の上側を通ってナックルを形成していることを示し、○印は走行面側経糸が走行面側緯糸の下側に位置していることを示し、△印は経糸地糸接結糸が走行面側緯糸の下側に位置していることを示す。
本実施例では上面側緯糸と走行面側緯糸、上面側経糸と走行面側経糸が意匠図上において、便宜上上下に重なって配置されているが、実際の織物ではずれて配置されることがある。また組になった経糸地糸接結糸ａ，ｂは意匠図上で並列に配置されているが、実際には上下に重なって配置されている部分がある。
【００１１】
実施例１
図１の意匠図において本実施例は経糸地糸接結糸、上面側経糸、上面側緯糸、走行面側経糸、走行面側緯糸からなる２層織物である。上面側層を形成する経糸に上面側経糸と経糸地糸接結糸を配置し、経糸間に配置された２本１組の経糸地糸接結糸によって上層、下
層を織り合わせたものである。
図１の実施例は経糸間に２本１組の経糸地糸接結糸が配置されており、これらの１本が上面側表面に現れているとき、他方は上面側表面の下にあり、このようにして上面側緯糸と織りなし上面側表面に実質経糸１本分の組織を形成する組織とした。２本１組の経糸地糸接結糸は１本の上面側緯糸の上側、下側を通って実質経糸１本分の平織組織を形成している。走行面側においては組を形成する２本の経糸地糸接結糸のうち、意匠図上で左側に配置している経糸地糸接結糸（ａを付した糸）はその左側に配置している経糸に近接して配置され、もう一方の経糸地糸接結糸（ｂを付した糸）はその右側に配置している経糸に近接して配置される。これは経糸地糸接結糸が走行面側経糸と一緒に一本の走行面側緯糸によって織り込まれたからであり、走行面側経糸より小径な経糸地糸接結糸は、該走行面側経糸側に移動し接近して配置されることになる。
つまり、走行面側層では組になった経糸地糸接結糸が離れて配置されることとなるため、その間には比較的大きなろ水空間が形成され、ろ水性に優れた織物となる。
また、上面側層では組を形成する２本の経糸地糸接結糸が互いに接近して走行面側経糸間のほぼ中央の上方に位置して、上面側緯糸と織り合わされて実質経糸１本分の平織組織を形成する。組になった経糸地糸接結糸は一方が上面側層を形成しているところの下側で、もう一方が走行面側緯糸の下側を通って二つの層を織り合わせているため、二本が同時に上面側層に隣接配置されることはなく交互に上面側表面に現れる。それによって組になった経糸地糸接結糸のうち意匠図上で左側に配置されている糸は上面側層を形成しているとき、組になったもう一方の経糸地糸接結糸が上面側層に現れていないため、意匠図上の右側に移動する力が働く。一方右側に配置されている経糸地糸接結糸は組になったもう一方の経糸地糸接結糸が上面側層に現れていないため、意匠図上の左側に移動する力が働く。これによって二本の経糸地糸接結糸は互いに向かい合う方向に力が働き、経糸間のほぼ中央で上面側表面に一本の上面側経糸のような組織を形成する。また上面側経糸も平織組織を形成しているため、上面側表面は組になった経糸地糸接結糸と上面側経糸、そして上面側緯糸によって平織組織が形成される。また経糸地糸接結糸を上記構造としたことで、上面側表面を形成する経糸間には均一なろ水空間を形成する。
図１は本発明の実施例の一つであり、異なる組織の経糸地糸接結糸を経糸間に２本１組で配置し、走行面側層では組を形成する２本の経糸地糸接結糸がそれぞれに隣接する走行面側経糸に近接配置し、上面側層では２つの走行面側経糸間のほぼ中央の上方に１本の経糸地糸接結糸が上面側表面に現れている場合は、他方が上面側表面の下側にあって実質経糸１本分の組織を形成する。
該経糸地糸接結糸は１本の上面側緯糸の上側と下側を交互に通過して上面側表面に６個のナックルを形成し、５本分の上面側緯糸と走行面側緯糸の間を通過し、次いで１本の走行面側緯糸の下側を通過し、次いで７本分の上面側緯糸と走行面側緯糸の間を通過する組織の経糸地糸接結糸と、この経糸地糸接結糸とは進行方向逆向きとした組織とを２本組み合わせて形成したものである。詳しくは経糸地糸接結糸２を例にあげると、経糸地糸接結糸２ａは、１本の走行面側緯糸１’の下側を通り、次いで７本の上面側緯糸２’，３’，４’，５’，６’，７’，８’と走行面側緯糸の間を通り、次いで１本の上面側緯糸９’の上側を通って上面側表面にナックルを形成し、１本の上面側緯糸１０’と走行面側緯糸１０’の間を通り、１本の上面側緯糸１１’の上側を通って上面側表面にナックルを形成し、１本の上面側緯糸１２’と走行面側緯糸１２’の間を通り、１本の上面側緯糸１３’の上側を通って上面側表面にナックルを形成し、１本の上面側緯糸１４’と走行面側緯糸１４’の間を通り、１本の上面側緯糸１５’の上側を通って上面側表面にナックルを形成し、１本の上面側緯糸１６’と走行面側緯糸１６’の間を通り、１本の上面側緯糸１７’の上側を通って上面側表面にナックルを形成し、１本の上面側緯糸１８’と走行面側緯糸１８’の間を通り、１本の上面側緯糸１９’の上側を通って上面側表面にナックルを形成し、次いで５本の上面側緯糸２０’，２１’，２２’，２３’，２４’と走行面側緯糸の間を通る組織である。それと対になるもう一方の経糸地糸接結糸２ｂは１本の上面側緯糸１’の上側を通って上面側表面にナックルを形成し、１本の上面側緯糸２’と走行面側緯
糸２’の間を通り、１本の上面側緯糸３’の上側を通って上面側表面にナックルを形成し、１本の上面側緯糸４’と走行面側緯糸４’の間を通り、１本の上面側緯糸５’の上側を通って上面側表面にナックルを形成し、１本の上面側緯糸６’と走行面側緯糸６’の間を通り、１本の上面側緯糸７’の上側を通って上面側表面にナックルを形成し、７本の上面側緯糸８’，９’，１０’，１１’，１２’，１３’，１４’と走行面側緯糸の間を通り、次いで１本の走行面側緯糸１５’の下側を通り、５本の上面側緯糸１６’，１７’，１８’，１９’，２０’と走行面側緯糸の間を通り、１本の上面側緯糸２１’の上側を通って上面側表面にナックルを形成し、次いで１本の上面側緯糸２２’と走行面側緯糸２２’の間を通り、１本の上面側緯糸２３’の上側を通って上面側表面にナックルを形成し、次いで１本の上面側緯糸２４’と走行面側緯糸２４’の間を通る組織である。この対になった経糸地糸接結糸は２ａと２ｂは進行方向、つまり意匠図の上下方向でみると、組織が逆になっている。
これらの２本の経糸地糸接結糸２ａ，２ｂは意匠図上では、並列して２本の経糸１，３の間に配置されているが、実際は走行面側層においては経糸地糸接結糸２ａは走行面側経糸１と一緒に走行面側緯糸１’によって織り込まれているため、走行面側経糸１よりも小径な経糸地糸接結糸２ａは走行面経糸１側に移動して走行面側経糸１に近接配置しており、また経糸地糸接結糸２ｂは走行面側経糸３と一緒に走行面側緯糸１によって織り込まれているため、走行面側経糸３よりも小径な経糸地糸接結糸２ｂは走行面経糸３側に移動して走行面側経糸３に近接配置している。これは走行面側経糸が走行面側緯糸の下側を通るところで、それに近接している経糸地糸接結糸が同じ走行面側緯糸の下側を通る構造としたためである。組になった経糸地糸接結糸がそれぞれ両側の走行面側経糸に近接することで、走行面側層には比較的大きなろ水空間を形成することができろ水性を向上させることができる。その他に経糸地糸接結糸の走行面側ナックルを走行面側経糸の走行面側ナックルに隣接配置したことで、経糸地糸接結糸の糸の移動がなく安定した織物とすることができ、また走行面側経糸よりも線径の小さい経糸地糸接結糸の摩耗を軽減させる効果もある。
上面側層では組になった経糸地糸接結糸が交互に上面側表面に現れ、上面側緯糸と織り合わされて１本の経糸として機能しており、経糸地糸接結糸２においては、経糸地糸接結糸２ａが上面側緯糸９’，１０’，１１’，１２’，１３’，１４’，１５’，１６’，１７’，１８’，１９’と織り合わされているところの下側で、経糸地糸接結糸２ｂが走行面側緯糸１５’の下側を通り、上層と下層を織り合わせている。また経糸地糸接結糸２ｂが上面側緯糸２１’，２２’，２３’，２４’，１’，２’，３’，４’，５’，６’，７’と織り合わされているところの下側で、経糸地糸接結糸２ａが走行面側緯糸１’の下側を通り、上層と下層を織り合わせている。そして、経糸地糸接結糸２ａ、及び経糸地糸接結糸２ｂは、走行面側経糸１と走行面側経糸３のほぼ中央の上方で１本の経糸のように機能して、上面側緯糸と織り合わされて平織組織を形成している。これは組になった経糸地糸接結糸のうち、一方の経糸地糸接結糸が上面側層を形成しているときにもう一方の経糸地糸接結糸が上面側層に現れてなく、２本の経糸地糸接結糸は交互に上面側表面を形成しているため互いに向かい合う方向に力が働き、経糸間のほぼ中央で１本の上面側経糸のように機能する。
また、経糸地糸接結糸の両側に配置している経糸も、上面側では経糸地糸接結糸と上面側経糸、そして上面側緯糸が織り合わされて上面側表面全体に平織組織を形成する。平織組織は緻密な表面を形成することができるため平滑性に優れ、また均一なろ水空間を確保できる。
緯方向には上面側緯糸、走行面側緯糸が上下同じ本数で配置されているが、その他の配置割合としてもよく、走行面側層は織物の走行によって生じる摩耗に耐え得る緯糸摩耗型組織としている。走行面側緯糸１’では１本の走行面側経糸１と経糸地糸接結糸２ａの上側を通った後、連続した５本の走行面側経糸３，５，７，９，１１と、その間に存在する経糸地糸接結糸の下側を通り、次いで１本の走行面側経糸１３と経糸地糸接結糸１４ａの上側を通り、５本の走行面側経糸１５，１７，１９，２１，２３と、その間に存在する経
糸地糸接結糸の下側を通って走行面側緯糸が走行面側経糸５本分のロングナックルを形成する組織とした。
ここでは、上面側経糸１，走行面側経糸１，経糸地糸接結糸２，走行面側緯糸１’を例にあげて説明したが、その他の構成糸も同様の組織とすることで、表面平滑性、接結力に優れ、均一なろ水性を有する工業用多層織物を提供することができる。
【００１２】
実施例２
図２は本発明の他の実施例の一つであり、異なる組織の経糸地糸接結糸を経糸間に２本１組で配置し、走行面側層では組を形成する２本の経糸地糸接結糸がそれぞれに隣接する走行面側経糸に近接配置し、上面側層では２つの走行面側経糸間のほぼ中央の上方に組になった経糸地糸接結糸が上面側表面に交互に現れて実質経糸１本分の組織を形成する。
該経糸地糸接結糸は１本の上面側緯糸の上側と下側を交互に通過して上面側表面に５個のナックルを形成し、次いで３本分の上面側緯糸と走行面側緯糸の間を通過し、次いで１本の走行面側緯糸の下側を通過し、次いで７本分の上面側緯糸と走行面側緯糸の間を通過する組織の経糸地糸接結糸と、この経糸地糸接結糸とは進行方向逆向きとした組織とを２本組み合わせて形成したものである。詳しくは経糸地糸接結糸２を例にあげると、経糸地糸接結糸２ａは、１本の走行面側緯糸１’の下側を通り、次いで７本の上面側緯糸２’，３’，４’，５’，６’，７’，８’と走行面側緯糸の間を通り、次いで１本の上面側緯糸９’の上側を通って上面側表面にナックルを形成し、１本の上面側緯糸１０’と走行面側緯糸１０’の間を通り、１本の上面側緯糸１１’の上側を通って上面側表面にナックルを形成し、１本の上面側緯糸１２’と走行面側緯糸１２’の間を通り、１本の上面側緯糸１３’の上側を通って上面側表面にナックルを形成し、１本の上面側緯糸１４’と走行面側緯糸１４’の間を通り、１本の上面側緯糸１５’の上側を通って上面側表面にナックルを形成し、１本の上面側緯糸１６’と走行面側緯糸１６’の間を通り、１本の上面側緯糸１７’の上側を通って上面側表面にナックルを形成し、３本の上面側緯糸１８’，１９’，２０’と走行面側緯糸の間を通る組織である。それと対になるもう一方の経糸地糸接結糸２ｂは１本の上面側緯糸１’の上側を通って上面側表面にナックルを形成し、１本の上面側緯糸２’と走行面側緯糸２’の間を通り、１本の上面側緯糸３’の上側を通って上面側表面にナックルを形成し、１本の上面側緯糸４’と走行面側緯糸４’の間を通り、１本の上面側緯糸５’の上側を通って上面側表面にナックルを形成し、１本の上面側緯糸６’と走行面側緯糸６’の間を通り、１本の上面側緯糸７’の上側を通って上面側表面にナックルを形成し、７本の上面側緯糸８’，９’，１０’，１１’，１２’，１３’，１４’と走行面側緯糸の間を通り、次いで１本の走行面側緯糸１５’の下側を通り、３本の上面側緯糸１６’，１７’，１８’と走行面側緯糸の間を通り、１本の上面側緯糸１９’の上側を通って上面側表面にナックルを形成し、次いで１本の上面側緯糸２０’と走行面側緯糸２０’の間を通る組織である。この対になった経糸地糸接結糸２ａと２ｂは進行方向からみて逆向きとなった組織である。
これらの２本の経糸地糸接結糸は意匠図上では、並列して２本の経糸１，３の間に配置されているが、走行面側層においては経糸地糸接結糸２ａは走行面側経糸１に近接配置している。また経糸地糸接結糸２ｂは走行面側経糸３に近接配置している。これは走行面側経糸が走行面側緯糸の下側を通るところで、それに近接している経糸地糸接結糸が同じ走行面側緯糸の下側を通る構造としたためである。組になった経糸地糸接結糸がそれぞれ両側の走行面側経糸に近接することで、走行面側層には比較的大きなろ水空間形成することができろ水性を向上させることができる。その他に経糸地糸接結糸の走行面側ナックルを走行面側経糸の走行面側ナックルに隣接配置したことで、経糸地糸接結糸の糸の移動がなく安定した織物とすることができ、また走行面側経糸よりも線径の小さい経糸地糸接結糸の摩耗を軽減させる効果もある。
また、上面側層では組になった経糸地糸接結糸が交互に上面側表面に現れ、つまりどちらか１本が上面側表面に現れたとき、他の１本は上面側表面の下にあって２本１組で、上面側緯糸と織り合わされて１本の上面側経糸のように機能している。経糸地糸接結糸２においては、経糸地糸接結糸２ａが上面側緯糸９’，１０’，１１’，１２’，１３’，１４’，１５’，１６’，１７’と織り合わされており、１５’と織り合わされるところの下側で、経糸地糸接結糸２ｂが走行面側緯糸と織り合わされており、経糸地糸接結糸２ｂが上面側緯糸１９’，２０’，１’，２’，３’，４’，５’，６’，７’と織り合わされるところの下側で、経糸地糸接結糸２ａが走行面側緯糸１’と織り合わされている。そして、２本で交互に現れた経糸地糸接結糸２は、走行面側経糸１と走行面側経糸３のほぼ中央の上方で１本の経糸のように機能して、上面側緯糸と織り合わされて平織組織を形成している。
また、経糸地糸接結糸の両側に配置している経糸も、上面側では経糸地糸接結糸と上面側経糸、そして上面側緯糸が織り合わされて上面側表面全体に平織組織を形成する。平織組織は緻密な表面を形成することができるため平滑性に優れ、また均一なろ水空間を確保できる。
緯方向には上面側緯糸、走行面側緯糸が上下同じ本数で配置されているが、その他の配置割合としてもよく、走行面側層は織物の走行によって生じる摩耗に耐え得る緯糸摩耗型組織としている。走行面側緯糸１’では１本の走行面側経糸１と経糸地糸接結糸２ａの上側を通った後、４本の走行面側経糸３，５，７，９の下側を通り、次いで１本の走行面側経糸１１と経糸地糸接結糸１２ａの上側を通り、４本の走行面側経糸１３，１５，１７，１９の下側を通る走行面側緯糸が走行面側経糸４本分のロングナックルを形成する組織とした。
ここでは、上面側経糸１，走行面側経糸１，経糸地糸接結糸２，走行面側緯糸１’を例にあげて説明したが、その他の構成糸も同様の組織とすることで、表面平滑性、接結力に優れ、均一なろ水性を有する工業用多層織物を提供することができる。
図３は本発明の実施例である図２の多層織物の緯糸１５’に沿った断面図であり、図４は緯糸１’に沿った断面図である。またそれぞれの経方向の糸の位置関係をわかりやすく説明するために適宜経糸に沿ってＩ，II，IIIの線を示した。Ｉは経糸１の中心を通る直線であり、IIは経糸１と経糸３のほぼ中央を通る直線であり、IIIは経糸３の中心を通る直線である。
図３と図４からわかるように経糸地糸接結糸は経糸間に２本１組で配置されており、一方の経糸地糸接結糸が上面側表面を形成しているところの下側で、もう一方の経糸地糸接結糸が走行面側緯糸と織り合わされている。また、経糸間に配置している経糸地糸接結糸は走行面側緯糸によって隣接配置している走行面側経糸と一緒に織り込まれ、組を形成する２本の経糸地糸接結糸のうち、図２の意匠図上の左側の経糸地糸接結糸は左側の走行面側経糸１に近接配置し、図３の意匠図の右側の経糸地糸接結糸は右側の走行面側経糸に近接配置している。そして上面側表面では組を形成する２本の経糸地糸接結糸が上面側表面に交互に現れて、互いに接近して走行面側経糸のほぼ中央の上方で実質経糸１本分の組織を形成していることがわかる。
経糸地糸接結糸２を例にして説明すると、組になった経糸地糸接結糸２ａと経糸地糸接結糸２ｂは、経糸１と経糸３の間に２本１組になって配置しており、経糸地糸接結糸２ａが上面側層を形成しているところの下側で、経糸地糸接結糸２ｂが走行面側層を織り合わせている。図４ではその逆で、経糸地糸接結糸２ｂが上面側層を形成しているところの下側で、経糸地糸接結糸２ａが走行面側層を織り合わせている。このように組になった経糸地糸接結糸は、上面側表面に交互に現れて上面側緯糸と織り合わされて１本の経糸のように機能している。
走行面側層では組を形成する２本の経糸地糸接結糸２ａと２ｂのうち、図２の意匠図に示されている左側の経糸地糸接結糸２ａを左側の走行面側経糸１に近接配置したことが図４からわかる。また、図２の意匠図に示されている右側の経糸地糸接結糸２ｂが右側の走行面側経糸３に近接配置したことが図３からわかる。このような構造としたことで走行面側経糸１と走行面側経糸３の間に比較的大きなろ水空間が形成される。
また、上面側表面では組を形成する２本の経糸地糸接結糸が、互いに接近して走行面側経糸のほぼ中央の上方で実質経糸１本分の組織を形成していることがわかる。図３と図４にはそれぞれの経方向の糸の位置関係をわかりやすく説明するためにＩ，II，III線を断面図上に示しているが、上面側層では経糸１と経糸３のほぼ中央を通る直線II上に、図３の経糸地糸接結糸２ａと、図４の経糸地糸接結糸２ｂが配置されている。図３、図４から経糸地糸接結糸が上面側に現れるところでは走行面側経糸の中央の上方に位置していることがわかり、また互いに接近して実質経糸１本分の組織を形成していることも明らかである。そのため、上面側表面には上面側経糸１、２ａと２ｂからなる経糸地糸接結糸２，上面側経糸３が等間隔で配置されおり、均一なろ水空間が形成されている。ここでは経糸１，経糸地糸接結糸２，経糸３を例にあげて説明したが、その他の構成糸に関しても同様であり、表面性、接結力に優れ、均一なろ水性を有する多層織物を形成することができる。
【００１３】
【発明の効果】
本発明の工業用多層織物は上面側表面の一部を形成し且つ上面側層と走行面側層を織り合わせる経糸地糸接結糸を配置した多層織物であり、経糸地糸接結糸を２本１組で配置し、一方が上面側層を形成しているところの下側でもう一方の経糸地糸接結糸が走行面側層を織り合わせており、走行面側層では組を形成する２本の経糸地糸接結糸のうち左側の経糸地糸接結糸を左側の走行面側経糸に近接配置し、右側の経糸地糸接結糸は右側の走行面側経糸に近接配置し、上面側表面では組を形成する２本の経糸地糸接結糸が上面側表層に交互に現れて、互いに接近して走行面側経糸間のほぼ中央の上方で実質経糸１本分の組織を形成する２層織物としたため、均一なろ水空間を確保することができ、織物表面にも部分的な凹みを発生させることもなく表面平滑性、接結力に優れた効果を奏する。
【図面の簡単な説明】
【図１】本発明の実施例１の完全組織を示す意匠図である。
【図２】本発明の実施例２の完全組織を示す意匠図である。
【図３】図２の緯糸１５´に沿った断面図である。
【図４】図２の緯糸１´に沿った断面図である。
【符号の説明】
１． 上面側経糸・走行面側経糸
２． ２本１組の経糸地糸接結糸
３． 上面側経糸・走行面側経糸
４． ２本１組の経糸地糸接結糸
５.  上面側経糸・走行面側経糸
６． ２本１組の経糸地糸接結糸
７． 上面側経糸・走行面側経糸
８． ２本１組の経糸地糸接結糸
９． 上面側経糸・走行面側経糸
１０． ２本１組の経糸地糸接結糸
１１． 上面側経糸・走行面側経糸
１２． ２本１組の経糸地糸接結糸
１３． 上面側経糸・走行面側経糸
１４． ２本１組の経糸地糸接結糸
１５． 上面側経糸・走行面側経糸
１６． ２本１組の経糸地糸接結糸
１７． 上面側経糸・走行面側経糸
１８． ２本１組の経糸地糸接結糸
１９． 上面側経糸・走行面側経糸
２０． ２本１組の経糸地糸接結糸
２１． 上面側経糸・走行面側経糸
２２   ２本１組の経糸地糸接結糸
２３． 上面側経糸・走行面側経糸
２４． ２本１組の経糸地糸接結糸
１´． 上面側緯糸・走行面側緯糸
２´． 上面側緯糸・走行面側緯糸
３´． 上面側緯糸・走行面側緯糸
４´   上面側緯糸・走行面側緯糸
５´． 上面側緯糸・走行面側緯糸
６´． 上面側緯糸・走行面側緯糸
７´． 上面側緯糸・走行面側緯糸
８´． 上面側緯糸・走行面側緯糸
９´． 上面側緯糸・走行面側緯糸
１０´． 上面側緯糸・走行面側緯糸
１１´． 上面側緯糸・走行面側緯糸
１２´． 上面側緯糸・走行面側緯糸
１３´． 上面側緯糸・走行面側緯糸
１４´． 上面側緯糸・走行面側緯糸
１５´． 上面側緯糸・走行面側緯糸
１６´． 上面側緯糸・走行面側緯糸
１７´． 上面側緯糸・走行面側緯糸
１８´． 上面側緯糸・走行面側緯糸
１９´． 上面側緯糸・走行面側緯糸
２０´． 上面側緯糸・走行面側緯糸
２１´． 上面側緯糸・走行面側緯糸
２２´． 上面側緯糸・走行面側緯糸
２３´． 上面側緯糸・走行面側緯糸
２４´． 上面側緯糸・走行面側緯糸
【図１】
0003938511.tif 000002
【図２】
0003938511.tif 000003
【図３】
0003938511.tif 000004
【図４】
0003938511.tif 000005